(57)【要約】  本開示は、印刷回路のインフラストラクチャの直接インクジェット印刷のための方法に関する。具体的には、本開示は、印刷回路基板（ＰＣＢ）、可撓性印刷回路（ＦＰＣ）、および高密度相互接続（ＨＤＩ）印刷回路において使用するための熱放散要素およびソケットの直接インクジェット印刷のための方法に関する。【選択図】図３
2021526956.tif 000002
【特許請求の範囲】
【請求項１】
印刷回路基板内の集積回路のためのインフラストラクチャ要素を形成するためのインクジェット印刷方法であって、
ａ．基材を提供することと、
ｂ．インクジェット印刷システムを提供することであって、前記インクジェット印刷システムが、
ｉ．第１の印刷ヘッドであって、少なくとも１つの開口部、誘電性インクリザーバ、および前記開口部を通して前記誘電性インクを供給するように構成された第１のディスペンサを有する、第１の印刷ヘッドと、
ｉｉ．第２の印刷ヘッドであって、少なくとも１つの開口部、導電性インクリザーバ、および前記開口部を通して前記導電性インクを供給するように構成された第２のディスペンサを有する、第２の印刷ヘッドと、
ｉｉｉ．前記第１の印刷ヘッドおよび前記第２の印刷ヘッドに動作可能に結合され、前記基材を前記第１の印刷ヘッドおよび前記第２の印刷ヘッドに搬送するように構成された、コンベヤと、
ｉｖ．コンピュータ支援製造（「ＣＡＭ」）モジュールであって、プロセッサと、不揮発性メモリと、前記不揮発性メモリ上に記憶された一組の実行可能な命令であって、実行されたとき、前記プロセッサに、前記インフラストラクチャ要素を表現する３Ｄ視覚化ファイルを受信することと、前記３Ｄ視覚化ファイルを使用して、複数のファイルを含むライブラリを生成することとであって、各ファイルが、前記インフラストラクチャ要素の印刷のための実質的な２Ｄ層を表現する、生成することと、前記インフラストラクチャ要素に関したパラメータの選択を受信することと、前記インフラストラクチャ要素の導電部分および誘電部分のうちの少なくとも１つを印刷するためのパラメータの前記選択の少なくとも１つに基づいて、前記ライブラリ内の前記実質的な２Ｄ層ファイルの各々を変更することと、を行わせるように構成された、命令と、を含む、モジュールと、を含む、提供することと、
ｃ．誘電性インク組成物および導電性インク組成物を提供することと、
ｄ．前記ＣＡＭモジュールを使用して、印刷のための前記インフラストラクチャ要素の前記複数の実質的な２Ｄ層を表現する前記生成されたファイルを得ることであって、前記２Ｄ層が、前記導電性インクジェットインクおよび前記誘電性インクジェットインクを表現するパターンを含み、前記得られたファイルが、印刷のための第１の層に対応する、得ることと、
ｅ．前記第１の印刷ヘッドを使用して、印刷のための前記インフラストラクチャ要素の前記第１の層内の前記誘電性表現に対応する前記パターンを形成することと、
ｆ．前記誘電性パターンを硬化することと、
ｇ．前記第２の印刷ヘッドを使用して、印刷のための前記インフラストラクチャ要素の前記第１の層内の前記導電性表現に対応する前記パターンを形成することと、
ｈ．前記導電性パターンを焼結することと、
ｉ．前記得られたファイルが印刷のための先行層に対する後続の層に対応する、前記生成されたファイルを得る工程から、前記ライブラリの完成のために前記導電性層を焼結させる工程までを繰り返すことと、を含む、方法。
【請求項２】
前記インフラストラクチャ要素が、冷却パッド、ヒートパイプ、凝縮器、芯、冷却プラットフォーム、および蒸気チャンバのうちの少なくとも１つである、請求項１に記載の方法。
【請求項３】
前記ヒートパイプが、２相ヒートパイプである、請求項２に記載の方法。
【請求項４】
前記インフラストラクチャ要素が、ソケットである、請求項１に記載の方法。
【請求項５】
前記ソケットが、前記印刷回路基板内に少なくとも部分的に配設されている、請求項４に記載の方法。
【請求項６】
前記冷却パッドが、先端表面に対して８０°未満の角度で基本的に延在する、請求項２に記載の方法。
【請求項７】
前記冷却プラットフォームが、外部熱源と直接接触している、請求項２に記載の方法。
【請求項８】
前記外部熱源が、スイッチモード電力集積回路、デュアルインラインパッケージ（ＤＩＰ）、Ｑｕａｄ  Ｆｌａｔ  Ｐａｃｋ（ＱＦＰ）パッケージ、Ｔｈｉｎ  Ｓｍａｌｌ  Ｏｕｔｌｉｎｅ  Ｐａｃｋａｇｅ（ＴＳＯＰ）、Ｓｍａｌｌ  Ｏｕｔｌｉｎｅ  Ｉｎｔｅｇｒａｔｅｄ  Ｃｉｒｃｕｉｔ（ＳＯＩＣ）パッケージ、Ｓｍａｌｌ  Ｏｕｔｌｉｎｅ  Ｊ−Ｌｅａｄ（ＳＯＪ）パッケージ、Ｐｌａｓｔｉｃ  Ｌｅａｄｅｄ  Ｃｈｉｐ  Ｃａｒｒｉｅｒ（ＰＬＣＣ）パッケージ、Ｗａｆｅｒ  Ｌｅｖｅｌ  Ｃｈｉｐ  Ｓｃａｌｅ  Ｐａｃｋａｇｅ（ＷＬＣＳＰ）、Ｍｏｌｄ  Ａｒｒａｙ  Ｐｒｏｃｅｓｓ−Ｂａｌｌ  Ｇｒｉｄ  Ａｒｒａｙ（ＭＡＰＢＧＡ）パッケージ、Ｑｕａｄ  Ｆｌａｔ  Ｎｏ−Ｌｅａｄ（ＱＦＮ）パッケージ、およびＬａｎｄ  Ｇｒｉｄ  Ａｒｒａｙ（ＬＧＡ）パッケージ、グラフィック処理ユニット（ＧＰＵ）、および中央処理ユニット（ＣＰＵ）のうちの少なくとも１つである、請求項７に記載の方法。
【請求項９】
前記印刷回路基板が、中空中間層を画定する多層印刷回路基板であり、前記冷却パッド、前記ヒートパイプ、および前記芯のうちの少なくとも１つが、前記中空中間層で終端する、請求項２に記載の方法。
【請求項１０】
硬化の前記工程が、加熱、光退色、乾燥、プラズマの堆積、架橋、アニーリング、および酸化還元反応の促進のうちの少なくとも１つを含む、請求項１に記載の方法。
【請求項１１】
焼結が、加熱および乾燥のうちの少なくとも１つを含む、請求項１に記載の方法。
【請求項１２】
前記インフラストラクチャ要素を備える前記印刷回路基板に関したパラメータの前記選択に使用された前記パラメータが、インフラストラクチャ要素のタイプ、前記インフラストラクチャ要素に結合するように構成された集積回路（ＩＣ）の物理化学的特性、ＩＣパッケージング要件、硬化および焼結後それぞれの少なくとも前記誘電性インク組成物および前記導電性インク組成物の熱伝達係数、または前述の１つ以上を含むパラメータの組み合わせを含む、請求項１に記載の方法。
【請求項１３】
プロセッサ可読媒体であって、その上に記憶された一組の実行可能な命令が、実行されたとき、少なくとも１つのプロセッサに、
ａ．前記インフラストラクチャ要素を表現する３Ｄ視覚化ファイルを受信することと、
ｂ．前記３Ｄ視覚化ファイルを使用して、複数のファイルを含むライブラリを生成することであって、各ファイルが、前記インフラストラクチャ要素の印刷のための実質的な２Ｄ層を表現する、生成することと、
ｃ．前記インフラストラクチャ要素に関したパラメータの選択を受信することと、
ｄ．前記インフラストラクチャ要素の導電部分および誘電部分のうちの少なくとも１つを印刷するためのパラメータの前記選択の少なくとも１つに基づいて、前記ライブラリ内の前記実質的な２Ｄ層ファイルの各々を変更することと、を行わせるように構成されている、プロセッサ可読媒体。
【請求項１４】
印刷回路基板、可撓性印刷回路、高密度相互接続回路、およびそれらの組み合わせのうちの少なくとも１つが、請求項１〜１２のいずれか一項に記載の方法を使用して製造された前記インフラストラクチャ要素を含む。
【発明の詳細な説明】
【背景技術】
【０００１】
本開示は、印刷回路のインフラストラクチャのインクジェット印刷のための方法に関する。具体的には、本開示は、印刷回路基板（ＰＣＢ）、可撓性印刷回路（ＦＰＣ）、および高密度相互接続（ＨＤＩ）印刷回路において使用するための熱放散要素およびソケットの直接インクジェット印刷のための方法に関する。
【０００２】
中央処理装置（ＣＰＵ）およびグラフィックス処理装置（ＧＰＵ）、ならびに電源装置（ＰＳＵ）などの高出力電子構成要素は、動作中に大量の熱を生成し、通常は独自の冷却装置を備える。しかしながら、厳しいパッケージ制約におけるオーバークロック（換言すると、製造元が使用した標準周波数を上回ってクロック周波数を増加させる）によってコンピューティングパフォーマンスを向上させるために、これらの構成要素の多くは、提供される冷却システム（例えば、冷却ファン）では十分に放散することができない余分な熱を生成する。
【０００３】
従来の冷却ソリューションは、ヒートシンクまたはヒートパイプを構成要素の表面に接触して設置することを含み、これにより、導電を介して電子構成要素から熱が奪われる（または拡散される）。次いで、熱は、対流によって、可能であれば、ヒートシンクまたはヒートパイプにわたって空気を押す、提供された１つ以上のファンと連動して放散される。同様に、二相ヒートパイプのシステムを使用することは、通常、蒸気ポンプとして使用されるキャピラリのサイズ、したがって凝縮器までの距離によって制限される。
【０００４】
構成要素の過熱を防止するために、熱は放散される必要がある。従来の冷却ソリューションは、ヒートシンクまたはヒートパイプを構成要素の表面に接触して設置することを含み、これにより、導電を介して電子構成要素から熱が奪われる。次いで、熱は、対流によって、可能であれば、ヒートシンクまたはヒートパイプにわたって空気を押す、１つ以上のファンと連動して放散される。効率的な冷却ソリューションにより、電子構成部品をより高速で動作させることができるため、それにより、システム全体がより効率的になる。
【０００５】
ヒートシンクおよびヒートパイプのための現在の設計は、これらのデバイスが電子構成部品の上面からのみ熱を奪うという点で制限される。例えば、熱は、ヒートシンクと構成要素との間の接触表面における導電を通してヒートシンクに伝達される。ヒートシンクに追加された付加的な材料は接触表面からさらに離れているため、ヒートシンクのサイズ（すなわち、体積）を増加させることは、特定の時点以降は効果がない。ヒートシンク材料の定常状態の導電特性は、ヒートシンクが構成要素から任意の付加的な熱を奪う能力を制限する。このため、この問題および／または先行技術に関連付けられた他の問題に対処する必要がある。
【０００６】
さらに、集積回路をＰＣＢにできるだけ迅速かつ経済的に結合することは有益である。個々の電子デバイスパッケージの手動の積み下ろしを繰り返すことは、可能である。しかしながら、この手順は時間がかかり、労働集約的であり、それゆえ、費用がかかる。さらに、半導体デバイスは、デバイスおよびそのパッケージの損傷を防止するために慎重に取り扱わなければならない。集積回路デバイスおよび電子デバイスパッケージの脆弱性に起因して、最小限の（繰り返しの）取り扱いもまた有益である。例えば、電子デバイスパッケージのリード線は、ソケットと正しく位置合わせされていない場合、ＰＣＢ上のソケットに挿入されている間に損傷または湾曲し得る。正しく位置合わせされていても、ソケットへの挿入と取り外しを繰り返すと、リード線が摩耗する場合がある。
【０００７】
以下の開示は、これらの欠点に対処する。
【発明の概要】
【０００８】
様々な実施形態において、例えば、印刷回路基板（ＰＣＢ）、可撓性印刷回路（ＦＰＣ）および高密度相互接続（ＨＤＩ）印刷回路において使用するための、熱放散要素およびソケットなどの集積回路のためのインフラストラクチャ要素のインクジェット印刷のための方法が開示される。
【０００９】
一実施形態では、本明細書で提供されるのは、印刷回路基板内の集積回路のためのインフラストラクチャ要素を形成するためのインクジェット印刷方法であり、本方法は、基材を提供することと、インクジェット印刷システムを提供することであって、インクジェット印刷システムが、第１の印刷ヘッドであって、少なくとも１つの開口部、誘電性インクリザーバ、および開口部を通して誘電性インクを供給するように構成された第１のディスペンサを有する、第１の印刷ヘッドと、第２の印刷ヘッドであって、少なくとも１つの開口部、導電性インクリザーバ、および開口部を通して導電性インクを供給するように構成された第２のディスペンサを有する、第２の印刷ヘッドと、第１の印刷ヘッドおよび第２の印刷ヘッドに動作可能に結合され、基材を第１の印刷ヘッドおよび第２の印刷ヘッドに搬送するように構成された、コンベヤと、コンピュータ支援製造（「ＣＡＭ」）モジュールであって、プロセッサと、不揮発性メモリと、不揮発性メモリ上に記憶された一組の実行可能な命令であって、実行されたとき、プロセッサに、インフラストラクチャ要素を表現する３Ｄ視覚化ファイルを受信することと、３Ｄ視覚化ファイルを使用して、複数のファイルを含むライブラリを生成することであって、各ファイルが、インフラストラクチャ要素の印刷のための実質的な２Ｄ層を表現する、生成することと、インフラストラクチャ要素に関したパラメータの選択を受信することと、インフラストラクチャ要素の導電部分および誘電部分のうちの少なくとも１つを印刷するためのパラメータの選択の少なくとも１つに基づいて、ライブラリ内の実質的な２Ｄ層ファイルの各々を変更することと、を行わせるように構成された、命令と、を含む、モジュールと、を含む、提供することと、誘電性インク組成物および導電性インク組成物を提供することと、ＣＡＭモジュールを使用して、印刷のためのインフラストラクチャ要素の複数の実質的な２Ｄ層を表現する生成されたファイルを得ることであって、２Ｄ層が、導電性インクジェットインクおよび誘電性インクジェットインクを表現するパターンを含み、得られたファイルが、印刷のための第１の層に対応する、得ることと、第１の印刷ヘッドを使用して、印刷のためのインフラストラクチャ要素の第１の層内の誘電性表現に対応するパターンを形成することと、誘電性パターンを硬化することと、第２の印刷ヘッドを使用して、印刷のためのインフラストラクチャ要素の第１の層内の導電性表現に対応するパターンを形成することと、導電性パターンを焼結することと、得られたファイルが印刷のための先行層に対する後続の層に対応する、生成されたファイルを得る工程から、ライブラリの完成のために導電性層を焼結させる工程までを繰り返すことと、を含む。
【００１０】
多層印刷回路基板における四辺形断面のめっきおよび／または充填ビアの直接印刷方法のこれらおよび他の特徴は、限定的ではなく例示的な図面および実施例と併せて読むとき、以下の詳細な説明から明らかになるであろう。
【図面の簡単な説明】
【００１１】
多層印刷回路基板（ＰＣＢ）、可撓性印刷回路（ＦＰＣ）、および高密度相互接続印刷回路（ＨＤＩ回路）における集積回路のインフラストラクチャの直接インクジェット印刷のための方法をよりよく理解するために、その実施形態に関して、参考文献が、添付の例および図に基づいて作成される。
【図１】一実施形態に従って印刷されたＰＣＢ上のＩＣの上面図の概略図を示す。
【図２】図１に示された多層ＰＣＢ内の上部層のＸ−Ｚ断面図を示す。
【図３】図１の断面Ａ−Ａに沿ったインフラストラクチャの熱放散要素を含む多層ＰＣＢのＸ−Ｚ断面図を示す。
【図４】図１に示された多層ＰＣＢ内の上部層のＸ−Ｚ断面図を、断面ＢＢに沿って切り取って示す。
【図５】記載された方法を使用して印刷することができる従来技術のソケットを示す。
【図６】同上。
【発明を実施するための形態】
【００１２】
本明細書で提供されるのは、印刷回路基板（ＰＣＢ）、可撓性印刷回路（ＦＰＣ）、および高密度相互接続（ＨＤＩ）印刷回路において使用するための熱放散要素およびソケットのインクジェット印刷のための方法の実施形態である。
【００１３】
本明細書に記載の方法は、インクジェット印刷デバイスを使用して、またはいくつかのパスを使用して、連続および／もしくは半連続プロセスで印刷回路基板（ＰＣＢ）を形成するために使用することができる。本明細書に記載の方法を使用して、誘電性材料は、基板を形成するために使用され、これは典型的に、別々に形成され、その上部で導電性層および誘電性層をさらに印刷するための基材として提供され、除去され、本明細書に記載の方法を使用して、より高い構成要素密度を達成するだけでなく、設計の柔軟性を高めることが可能である。
【００１４】
したがって、一実施形態では、本明細書で提供されるのは、印刷回路基板内の集積回路のためのインフラストラクチャ要素を形成するためのインクジェット印刷方法であり、本方法は、基材を提供することと、インクジェット印刷システムを提供することであって、インクジェット印刷システムが、第１の印刷ヘッドであって、少なくとも１つの開口部、誘電性インクリザーバ、および開口部を通して誘電性インクを供給するように構成された第１のディスペンサを有する、第１の印刷ヘッドと、第２の印刷ヘッドであって、少なくとも１つの開口部、導電性インクリザーバ、および開口部を通して導電性インクを供給するように構成された第２のディスペンサを有する、第２の印刷ヘッドと、第１の印刷ヘッドおよび第２の印刷ヘッドに動作可能に結合され、基板を第１の印刷ヘッドおよび第２の印刷ヘッドに搬送するように構成された、コンベヤと、コンピュータ支援製造（「ＣＡＭ」）モジュールであって、プロセッサと、不揮発性メモリと、不揮発性メモリ上に記憶された一組の実行可能な命令であって、実行されたとき、プロセッサに、インフラストラクチャ要素を表現する３Ｄ視覚化ファイルを受信することと、３Ｄ視覚化ファイルを使用して、複数のファイルを含むライブラリを生成することであって、各ファイルが、インフラストラクチャ要素の印刷のための実質的な２Ｄ層を表現する、生成することと、インフラストラクチャ要素に関したパラメータの選択を受信することと、インフラストラクチャ要素の導電部分および誘電部分のうちの少なくとも１つを印刷するためのパラメータの選択の少なくとも１つに基づいて、ライブラリ内の実質的な２Ｄ層ファイルの各々を変更することと、を行わせるように構成された、命令と、を含む、モジュールと、を含む、提供することと、誘電性インク組成物および導電性インク組成物を提供することと、ＣＡＭモジュールを使用して、印刷のためのインフラストラクチャ要素の複数の実質的な２Ｄ層を表現する生成されたファイルを得ることであって、２Ｄ層が、導電性インクジェットインクおよび誘電性インクジェットインクを表現するパターンを含み、得られたファイルが、印刷のための第１の層に対応する、得ることと、第１の印刷ヘッドを使用して、印刷のためのインフラストラクチャ要素の第１の層内の誘電性表現に対応するパターンを形成することと、誘電性パターンを硬化することと、第２の印刷ヘッドを使用して、印刷のためのインフラストラクチャ要素の第１の層内の導電性表現に対応するパターンを形成することと、導電性パターンを焼結することと、得られたファイルが印刷のための先行層に対する後続の層に対応する、生成されたファイルを得る工程から、ライブラリの完成のために導電性層を焼結させる工程までを繰り返すことと、を含む。
【００１５】
本明細書で使用される「インフラストラクチャ」、および／または「インフラストラクチャ要素」、および／または「インフラストラクチャの要素」という用語は、概して、集積回路および、基板に結合された他の構成要素（例えば、ＧＰＵ）の動作を可能にし、維持し、または強化するように構成された電力ならびに／もしくは導管を提供する物理的な構成要素を指す。インフラストラクチャ要素は、ヒートパイプ、（水分）凝縮器、冷却パッド、蒸気チャンバ、電源ソケット、ＵＳＢソケットなどを含み得る。しかしながら、インフラストラクチャには冷却ファンは含まれていない。
【００１６】
一実施形態では、「ディスペンサ」という用語は、そこから液滴が分配されるデバイスを指すために使用される。ディスペンサは、例えば、マイクロバルブ、圧電ディスペンサ、連続ジェット印刷ヘッド、沸騰（バブルジェット）ディスペンサ、およびディスペンサを流れる流体の温度ならびに物理化学的特性に影響を与える他のものを含む、少量の液体を分配するための装置であり得る。
【００１７】
本明細書に開示される構成要素、方法、およびデバイスのより完全な理解は、添付の図面を参照することによって得ることができる。これらの図（本明細書では「ＦＩＧ．」とも呼ばれる）は、本開示の利便性および実証の容易さに基づく、単なる概略図であり、したがって、デバイスまたはその構成要素の相対的なサイズおよび寸法、相対的なサイズの関係、ならびに／または例示的な実施形態の範囲を定義もしくは制限することを示すことを意図するものではない。以下の説明では、わかりやすくするために特定の用語を使用しているが、これらの用語は、図面内の説明のために選択された実施形態および実施例の特定の構造のみを指すことを意図しており、本開示の範囲を定義もしくは制限することを意図するものではない。図面および以下の説明において、異なる図にわたる同様の数値指定は、同様の機能の構成要素を指すことを理解されたい。
【００１８】
同様に、断面は、Ｙ軸が前後を指し、Ｘ軸が左右を指し、Ｚ軸が上下を指すように、ＸＹＺ軸を有する通常の直交座標装置上で参照される。
【００１９】
示されるように、インフラストラクチャ要素は、例えば、冷却パッド、ヒートパイプ（例えば、蒸発器および凝縮器セクションからなる管状の金属構造体を指す、熱サイフォンなどの、二層ヒートパイプ）、（水分）凝縮器、芯（例えば、重力に逆らって冷却液を駆動させるために必要な毛細管作用を提供するため）、冷却プラットフォーム、および蒸気チャンバのうちの少なくとも１つなどの受動的熱拡散器（ＰＨＳ）であり得る。
【００２０】
例えば、図２および図３に示されるように、ヒートシンクは、放熱フィンモジュール（図示せず）、複数のヒートパイプ２０５ｉ、および金属ボトムブロック２０３を備えることができる。金属底部ブロック２０３は、外気へのすばやい放散のため吸収された熱エネルギーがヒートパイプ（複数可）２０５ｉによって放射フィンモジュール（複数可）（図示せず）に伝達されることを可能にするために、第１の熱源１０１（例えば、ＧＰＵ、ＬＥＤ）と直接接触するように適合される。図３に示されるように、ヒートパイプ２０５ｉは、例えば、中空／空の層を通して空気流を作り出すようなファンなどの通気源と流体（またはガス、もしくは空気）連通し得る、中空中間層１３０で終端する場合がある。付加的または代替的に、ヒートパイプ２０５ｉは、ＰＣＢの基底（または先端、換言すると、外部の）層１０５（ＦＰＣおよびＨＤＩＰＣと交換可能）で終端することができる。ヒートパイプ２０５ｉは、はんだペーストと接合（グレーズ）されるのではなく、金属ボトムブロック２０３に直接延在することができ、そのためより良好な接続を作り出す。
【００２１】
一実施形態では、凝縮器１１１、１１２は、例えば、少なくとも基底層１０５（１１１）および中間中空層１３０（１１２）に直接印刷することができる。二相ヒートパイプは、直接印刷することができ、それにより、熱は、液体から蒸気および液体に戻る相変化を通して伝達され得、それにより、液体は、例えば、隆起したプラットフォーム２０１などの蒸発器から毛細管作用を介して凝縮器１１１、１１２に受動的に通過する。特定の実施形態では、ヒートパイプは、熱伝達液体の湿潤を支援することができる導電性インク組成物でめっきされ、このため、毛細管作用を促進する。一実施形態では、凝縮器１１１、１１２は、本明細書に開示された方法およびシステムを使用して直接印刷されたフィンスタックであり得る。
【００２２】
さらに、ヒートパイプ（またはめっきされた／中空マイクロビア）２０５ｉ、および／または２０６ｐは、導電性インク組成物でめっきされたパイプであり得、それらは、焼結（加熱）芯として動作するように構成され、および／または溝付き芯として動作するように適合された溝付き内部断面として直接印刷される。本明細書に記載の方法を使用して、焼結導電性インク組成物および／または硬化誘電性インク組成物の熱伝達係数に基づいて、必要なパフォーマンスパラメータの下で、熱源から熱を放散することを可能にする適切な直径（内部表面積）を設計することが可能である。これらおよび他の要素は、ＩＣヒートシンクアセンブリ（換言すると、プラットフォーム、ヒートパイプ、凝縮器、終端点、パイプの長さなど）の３Ｄファイルを変換するためにＣＡＭモジュールによって使用されたパラメータにおいて使用され、ライブラリにメタデータとして添付され、および／または導電性部分と誘電性（絶縁性）部分に解析される前または後に、各実質的な２Ｄ層ファイルに取り付けられる場合がある。
【００２３】
例えば、、熱源は、Ｑｕａｄ  Ｆｌａｔ  Ｐａｃｋ（ＱＦＰ）パッケージ、Ｔｈｉｎ  Ｓｍａｌｌ  Ｏｕｔｌｉｎｅ  Ｐａｃｋａｇｅ（ＴＳＯＰ）、Ｓｍａｌｌ  Ｏｕｔｌｉｎｅ  Ｉｎｔｅｇｒａｔｅｄ  Ｃｉｒｃｕｉｔ（ＳＯＩＣ）パッケージ、Ｓｍａｌｌ  Ｏｕｔｌｉｎｅ  Ｊ−Ｌｅａｄ（ＳＯＪ）パッケージ、Ｐｌａｓｔｉｃ  Ｌｅａｄｅｄ  Ｃｈｉｐ  Ｃａｒｒｉｅｒ（ＰＬＣＣ）パッケージ、Ｗａｆｅｒ  Ｌｅｖｅｌ  Ｃｈｉｐ  Ｓｃａｌｅ  Ｐａｃｋａｇｅ（ＷＬＣＳＰ）、Ｍｏｌｄ  Ａｒｒａｙ  Ｐｒｏｃｅｓｓ−Ｂａｌｌ  Ｇｒｉｄ  Ａｒｒａｙ（ＭＡＰＢＧＡ）パッケージ、Ｑｕａｄ  Ｆｌａｔ  Ｎｏ−Ｌｅａｄ（ＱＦＮ）パッケージ、およびＬａｎｄ  Ｇｒｉｄ  Ａｒｒａｙ（ＬＧＡ）パッケージ、デュアルインラインパッケージ（ＤＩＰ）、発光ダイオード（ＬＥＤ）、グラフィック処理ユニット（ＧＰＵ）、中央処理ユニット（ＣＰＵ）、および隣接するＰＣＢのうちの少なくとも１つであり得る。
【００２４】
図３に示されるように、金属ブロックディスク２０２は、円形ディスクとして印刷することができ、金属ブロックディスク２０２から基本的に通常より離れた角度で延在することができ、それにより、例えば、感度が高い可能性がある隣接する構成要素から離れて熱放散を分散させる。特定の実施形態では、開示されたシステムは、金属ブロックディスク２０２（または他の基部）から基本的に延在するヒートシンク部分の角度を計算することができ、他の構成要素に対して最適に熱を放散することができる。
【００２５】
さらに別の実施形態では、例えば、ＧＰＵなどの隆起した構成要素１０４は、ピン２０５ｉおよびボールグリッドアレイ（ＢＧＡ）１０７ｎで上部層１００に結合することができ、これらの実施形態では、隆起した構成要素１０４の基底面と接触したままである適切な導電性インクのパターンを直接印刷すること、ならびにＢＧＡの直接印刷が可能である。したがって、説明されたシステムおよび方法を使用して、すべてのヒートシンクアセンブリ構成要素および隆起した構成要素間の密接な接触を維持することが可能である。ピン２０５ｉなどの導電性要素は、接触パッドと電気的に連通している、および接触パッドに取り付けられたはんだボール１０７ｎを備えるか、もしくは単に選択された回路トレース１１０の終端点にはんだボールが直接配置されるか、または電気的に通信することができる。代替的に、例えば、１０７ｎなどの導電性ボールは、具体的には、予め選択された導電性の性質を有する導電性充填エポキシ材料で作成することができる。導電性要素またはボールは、グリッドアレイパターンで直接印刷することができ、導電性要素またははんだボールは、予め選択された１つ以上のサイズのものであり、１つ以上の予め選択された距離またはピッチで互いに離間している。したがって、「ファインボールグリッドアレイ」（ＦＢＧＡ）は、比較的小さい導電性要素またははんだボールが互いに非常に短い距離で離間されて、寸法的に小さい間隔またはピッチをもたらすと見なされるものを有する印刷されたＢＧＡパターンを指すために使用され得る。本明細書で概して使用されるように、「ボールグリッドアレイ」（ＢＧＡ）という用語は、ファインボールグリッドアレイ（ＦＢＧＡ）ならびにＢＧＡを包含する。したがって、一実施形態では、本明細書で説明された方法を使用して印刷された導電性インクを表現する２Ｄパターンは、相互接続（換言すると、はんだ／接触）ボールを製造するように構成される。
【００２６】
一実施形態では、提供された方法は、ＩＣが結合されるソケットを直接印刷するために使用することができる。これらは、図５および図６に示されるそれらのソケット、または他のソケットであり得る。ソケットの印刷をＰＣＢ、ＦＰＣ、またはＨＤＩＰＣの製造に統合することにより、様々な（ＩＣ）構成要素と基板との間の接触を維持するために必要な摩擦をカスタマイズすることが可能である。したがって、ソケットは、少なくとも部分的に印刷回路基板に配設される。図４に示されているように、ソケット３０１、３０２は、一列に提供されているが、これらは例示の目的でのみ提供される。例えば、所望であれば、または必要に応じて、ソケットを複数の行と列の配列に配置することが可能である。さらに、単一または複数のソケットは、特定の電子デバイスパッケージまたは目的に有利であることが見出されるように、任意の好適なパターンまたは位置で印刷回路基板上に配置され得る。図１〜図４に示された本発明の実施形態では、エッジコネクタ（３０１）および側面開口部（図示せず）を有する印刷回路基板１０を提供することは、本開示の範囲内である。別の実施形態では、ソケットをＰＣＢの上層１００に接続するために使用されるパッドおよび基準は、（基準が必要な場合）印刷回路基板の上層１００上に同時に印刷することができる。
【００２７】
ＰＣＢを形成する方法は、基材（例えば、フィルムなどの剥離可能な基材）を提供する工程を含むことができる。誘電性インクを堆積する印刷ヘッド（およびその派生物、これは、制御された方式で、表面上で材料を堆積、伝達、または作り出す任意のデバイスまたは技術を指すと理解されるべきである）は、要求に応じて、換言すると、コンベヤ速度、所望のＰＣＢサブ層の厚さ、ビアまたはヒートパイプが充填またはめっきされているかどうか、またはそれらの組み合わせなどの様々なプロセスパラメーターの関数として、インク液滴（複数可）を提供するように構成することができる。
【００２８】
例えば、取り外し可能または剥離可能であり得る基材はまた、比較的剛性のある材料、例えば、ガラスまたは結晶（例えば、サファイア）であり得、代替的に、基材は、可撓性（例えば、圧延可能な）基材（またはフィルム）であり得、例えば、ポリ（エチレンナフタレート）（ＰＥＮ）、ポリイミド（例えば、ＤｕＰｏｎｔによるＫＡＰＴＯＮＥ（登録商標））、シリコンポリマー、ポリ（エチレンテレフタレート）（ＰＥＴ）、ポリ（テトラフルオロエチレン）（ＰＴＦＥ）フィルムなどのＰＣＢからの基材の易剥離を可能にする。
【００２９】
他の機能的工程（および、したがってそれらの工程に影響を与える手段）は、（例えば、導電層の焼結のために）第１の印刷ヘッドまたは第２の印刷ヘッドの前もしくは後で行うことができる。これらの工程は、（限定されるものではないが）（チャックなどの加熱素子、または熱風により影響された）加熱工程、（例えば、ＵＶ光源およびフォトマスクなどを使用する）光退色、（例えば、真空領域または加熱素子を使用する）乾燥、（例えば、加圧プラズマ銃およびプラズマビームコントローラを使用する）（反応性）プラズマ蒸着、［４−［（２−ヒドロキシテトラデシル）−オキシル］−フェニル−フェニルヨードニウムヘキサフルオロアンチモナートなどの光酸をポリマー溶液にコーティング前に添加して選択的に開始させるか、または金属前駆体、またはナノ粒子と共に分散剤として使用することによる架橋（例えば、多機能性アクリレートおよび／またはメタクリレートではない）、アニーリング、または酸化還元反応を促進することを含み得る。
【００３０】
導電性および／または誘電性インク組成物（複数可）を配合することは、もしあれば、堆積ツールによって課される要件、および（任意選択的に除去可能な）基材の表面特性（例えば、親水性または疎水性のうちの少なくとも１つ、および表面エネルギー）を考慮に入れることができる。圧電ヘッドを用いてインクジェット印刷を使用すると、導電性インクおよび／または誘電性インクいずれかの粘度（２０℃で測定）は、例えば約５ｃＰ以上、例えば約８ｃＰ以上、または約１０ｃＰ以上、および約３０ｃＰ以下、例えば約２０ｃＰ以下、または約１５ｃＰ以下であり得る。導電性インクおよび／または誘電性インクは、各々が、５０ミリ秒および２５℃の表面寿命で最大泡圧テンシオメトリーにより測定される約２５ｍＮ／ｍ〜約３５ｍＮ／ｍ、例えば、約２９ｍＮ／ｍ〜約３１ｍＮ／ｍの動的表面張力（インクジェットインク液滴が印刷ヘッド開口部に形成されるときの表面張力を指す）を有するように構成（例えば、配合）され得る。動的表面張力は、約１００°〜約１６５°の剥離可能な基材または導電性層（複数可）との接触角を提供するように配合することができる。
【００３１】
一実施形態では、インフラストラクチャ要素を含む、ＰＣＢ（および／またはＦＰＣ、ならびに／もしくはＨＤＩ回路）の連続的または半連続的インクジェット印刷を可能にするインクジェットインク組成物および方法は、印刷ヘッド（または基材）が、例えば、２つの（Ｘ−Ｙ）（印刷ヘッドがＺ軸でも移動できることを理解されたい）の次元で、基材または後続の任意の層の上の所定の距離で操作されるときに、本明細書に提供される液体のインクジェットインクの液滴を一度にオリフィスから噴射することによってパターン化され得る。本明細書に記載の方法で使用される、提供されるインクジェット印刷ヘッドは、約３μｍ〜１０，０００μｍ以下の最小層フィルムの厚さを提供し得る。
【００３２】
一実施形態では、導電性インクおよび／または誘電性インクの各液滴の体積は、０．５〜３００ピコリットル（ｐＬ）、例えば１〜４ｐＬの範囲であり、駆動パルスの強度およびインクの特性に依存し得る。単一の液滴を噴射する波形は、１０Ｖ〜約７０Ｖのパルス、または約１６Ｖ〜約２０Ｖのパルスであり得、約５ｋＨｚ〜約２０ｋＨｚの周波数で噴射され得る。
【００３３】
一実施形態では、誘電性インク組成物は、本明細書で提供される光開始剤を使用して光開始を受けることができるポリマーの活性成分を含む。かかるライブモノマー、ライブオリゴマー、ライブポリマー、またはそれらの組み合わせは、例えば、多機能性アクリレートであり得、例えば、１，２−エタンジオールジアクリレート、１，３−プロパンジオールジアクリレート、１，４−ブタンジオールジアクリレート、１，６−ヘキサンジオールジアクリレート、ジプロピレングリコールジアクリレート、ネオペンチルグリコールジアクリレート、エトキシ化ネオペンチルグリコールジアクリレート、プロポキシル化ネオペンチルグリコールジアクリレート、トリプロピレングリコールジアクリレート、ビスフェノール−Ａ−ジグリシジルエーテルジアクリレート、ヒドロキシピバル酸ネオペンタンジオールジアクリレート、エトキシ化ビスフェノール−Ａ−ジグリシジルエーテルジアクリレート、ポリエチレングリコールジアクリレート、トリメチロールプロパントリアクリレート、エトキシ化トリメチロールプロパントリアクリレート、プロポキシル化トリメチロールプロパントリアクリレート、プロポキシル化グリセロールトリアクリレート、トリス（２−アクリロイルオキシエチル）イソシアヌレート、ペンタエリスリトールトリアクリレート、エトキシ化ペンタエリスリトールトリアクリレート、ペンタエリスリトールテトラアクリレート、エトキシ化ペンタエリスリトールテトラアクリレート、ジトリメチロールプロパンテトラアクリレート、ジペンタエリスリトールペンタアクリレート、およびジペンタエリスリトールヘキサアクリレートのうちの少なくとも１つであり得る。
【００３４】
誘電性インクは、架橋剤（誘電性構成成分を形成するポリマー以外）、モノマー、コモノマー、コオリゴマー、コポリマー、または前述の１つ以上を含む組成物をさらに含むことができる。同様に、オリゴマーおよび／またはポリマー骨格は、骨格上にフリーラジカルを形成する薬剤（換言すると、架橋剤）をポリマーと接触させることによって架橋を形成するように誘導することができ、それにより、架橋部位を可能にする。一実施形態では、架橋剤、コモノマー、コオリゴマー、コポリマー、または前述の１つ以上を含む組成物は、一部であり得るか、もしくは溶液、エマルジョン、ゲル、または連続相内の懸濁液を形成するように構成され得る。
【００３５】
一実施形態では、インフラストラクチャ要素を含む、開示された方法を使用して製造されたＰＣＢ（ＦＰＣおよびＨＤＩ回路）で使用された連続相は、多機能性アクリレートモノマー、オリゴマー、ポリマー、またはそれらの組み合わせ、架橋剤、およびラジカル光開始剤を含み得、連続相において部分的または完全に溶解可能であり得る。
【００３６】
重合誘電性樹脂骨格の開始は、開始剤、例えば、過酸化ベンゾイル（ＢＰ）および他の過酸化物含有化合物を使用して行うことができる。本明細書で使用される「開始剤」という用語は、概して、化学反応を開始する物質、具体的には、重合を開始するか、または重合を開始する反応種を生成する任意の化合物を指し、例えば、これらに限定されないが、共開始剤および／または光開始剤（複数可）を含む。
【００３７】
別の実施形態では、組成物は、光開始剤を使用して光開始を受けることができるポリマーの活性成分を含む。光開始を受けることができる、かかるライブモノマー、ライブオリゴマー、ライブポリマー、またはそれらの組み合わせは、例えば、多機能性アクリレートであり得、例えば、１，２−エタンジオールジアクリレート、１，３−プロパンジオールジアクリレート、１，４−ブタンジオールジアクリレート、１，６−ヘキサンジオールジアクリレート、ジプロピレングリコールジアクリレート、ネオペンチルグリコールジアクリレート、エトキシ化ネオペンチルグリコールジアクリレート、プロポキシル化ネオペンチルグリコールジアクリレート、トリプロピレングリコールジアクリレート、ビスフェノール−Ａ−ジグリシジルエーテルジアクリレート、ヒドロキシピバル酸ネオペンタンジオールジアクリレート、エトキシ化ビスフェノール−Ａ−ジグリシジルエーテルジアクリレート、ポリエチレングリコールジアクリレート、トリメチロールプロパントリアクリレート、エトキシ化トリメチロールプロパントリアクリレート、プロポキシル化トリメチロールプロパントリアクリレート、プロポキシル化グリセロールトリアクリレート、トリス（２−アクリロイルオキシエチル）イソシアヌレート、ペンタエリスリトールトリアクリレート、エトキシ化ペンタエリスリトールトリアクリレート、ペンタエリスリトールテトラアクリレート、エトキシ化ペンタエリスリトールテトラアクリレート、ジトリメチロールプロパンテトラアクリレート、ジペンタエリスリトールペンタアクリレート、およびジペンタエリスリトールヘキサアクリレートからなる群から選択される多機能性アクリレートであり得る多機能性アクリレートであり得る。
【００３８】
本明細書に記載の多機能性アクリレートと共に使用することができる光開始剤は、例えば、ラジカル光開始剤であり得る。これらのラジカル光開始剤は、例えば、ＣＩＢＡ  ＳＰＥＣＩＡＬＴＹ  ＣＨＥＭＩＣＡＬのＩｒｇａｃｕｒｅ（登録商標）５００およびＤａｒｏｃｕｒ（登録商標）１１７３、Ｉｒｇａｃｕｒｅ（登録商標）８１９、Ｉｒｇａｃｕｒｅ（登録商標）１８４、ＴＰＯＬ（エチル（２，４，６，トリメチルベンゾイル）フェニルホスフィネート）ベンゾフェノン、およびアセトフェノン化合物などであり得る。例えば、ラジカル光開始剤は、混合トリアリールスルホニウムヘキサフルオロアンチモネート塩などのカチオン性光開始剤であり得る。本明細書に記載の活性連続相において使用されたラジカル光開始剤の別の例は、２−イソプロピルチオキサントンであり得る。
【００３９】
「ライブモノマー」、「ライブオリゴマー」、「ポリマー」という用語またはそれらの対応部分（例えば、コモノマー）の組み合わせは、一実施形態では、モノマー、モノマーの短い基、またはラジカル反応を形成する（換言すると、反応は継続することができ、別様に末端基によって終端することはない）ことができる少なくとも１つの官能基を有するポリマーを指す。
【００４０】
インフラストラクチャ要素を含むＰＣＢを形成するために、本明細書に記載された組成物、システム、および方法で使用される架橋剤は、例えば、一級または二級ポリアミンおよびその付加物、または別の例では、無水物、ポリアミド、Ｃ４−Ｃ３０ポリオキシアルキレンであり得、アルキレン基は、各々独立して２〜６個の炭素原子、または前述の１つ以上を含む組成物を含む。
【００４１】
懸濁液は、界面活性剤および任意選択的に共界面活性剤の存在を必要とし得る。界面活性剤および／または共界面活性剤は、陽イオン界面活性剤、陰イオン界面活性剤、非イオン界面活性剤、およびブロックコポリマーなどの両親媒性コポリマーであり得る。
【００４２】
さらに、誘電性層部分は、全体にわたって実質的に均一な厚さを有することができ、それにより、付加的な導電性回路パターンを受信するための実質的に平面の（例えば、平坦な）表面を作り出す。誘電性層は、ＵＶ硬化性接着剤または他のポリマー材料であり得る。一実施形態では、誘電性インクは、ＵＶ硬化性ポリマーを含む。他の誘電性ポリマーは、例えば、ポリエステル（ＰＥＳ）、ポリエチレン（ＰＥ）、ポリビニルアルコール（ＰＶＯＨ）、およびポリメチルメタクリレート（ＰＭＭＡ）、ポリ（ビニルピロリドン）（ＰＶＰ、水溶性であり、印刷ヘッドオリフィスに詰まらないことが有益であり得る）などである。他の誘電性材料は、フォトレジストポリマー、例えば、ＳＵ−８ベースのポリマー、ポリマー由来のセラミック、またはそれらの組み合わせであり得、コポリマーもまた使用され得る。
【００４３】
本明細書で提供される方法を実装するために使用されるシステムは、コンピュータ支援製造（「ＣＡＭ」）モジュールをさらに備えることができ、モジュールは、データプロセッサ、不揮発性メモリ、および不揮発性メモリ上に記憶された一組の実行可能な命令を含み、実行されるとき、プロセッサに、インフラストラクチャ要素を含む印刷回路基板を表現する３Ｄ視覚化ファイルを受信することと、ファイルのライブラリを生成することであって、各ファイルがインフラストラクチャ要素を含む印刷回路基板を印刷するための少なくとも１つの実質的な２Ｄ層を表現し、インフラストラクチャ要素を含む実質的な２Ｄ層の実質的な２Ｄ表現の画像パターンを作り出す、生成することと、インフラストラクチャ要素を含む印刷回路基板に関するパラメータの選択を受信することと、パラメータの選択の少なくとも１つに基づいて、少なくとも１つの実質的な２Ｄ層を表現するファイルを変更することであって、ＣＡＭモジュールが、第１の印刷ヘッドおよび第２の印刷ヘッドの各々を制御するように構成される、変更することと、を行わせるように構成される。
【００４４】
したがって、第１の印刷ヘッドを使用する工程は、ＣＡＭモジュールを使用して、印刷のためのインフラストラクチャ要素を含む、印刷回路基板の第１の実質的な２Ｄ層を表現する生成されたファイルを得る工程によって先行され、２Ｄ層は、誘電性インク、および導電性インクを表現するパターンを含み、インフラストラクチャ要素を含む印刷回路基板に関するパラメータの選択に使用されたパラメータは、インフラストラクチャ要素のタイプ、インフラストラクチャ要素に結合するように構成され、放散が求められる熱源として機能し得る集積回路（ＩＣ）の加熱特性、ＩＣパッケージ要件、硬化および焼結後それぞれの誘電性インク組成物および導電性インク組成物の少なくとも１つの熱伝達係数、または前述の１つ以上を含むパラメータの組み合わせを含む。
【００４５】
本明細書で使用される「含む（ｃｏｍｐｒｉｓｉｎｇ）」という用語およびその派生語は、記載された特徴、要素、構成要素、群、整数、および／またはステップの存在を指定するが、他の記載されていない特徴、要素、構成要素、群、整数、および／またはステップの存在を除外しない、制約のない用語であることを意図している。前述のことは、用語「含む（ｉｎｃｌｕｄｉｎｇ）」、「有する（ｈａｖｉｎｇ）」、およびそれらの派生語などの類似の意味を有する単語にも適用される。
【００４６】
本明細書で開示されるすべての範囲は、端点を含み、端点は互いに独立して組み合わせることができる。「組み合わせ」には、ブレンド、混合物、合金、反応生成物などが含まれる。本明細書の用語「１つの（ａ）」、「１つの（ａｎ）」および「その（ｔｈｅ）」は、量の制限を示すものではなく、本明細書で特に明記しない限り、または文脈により明らかに矛盾しない限り、単数および複数の両方を包含すると解釈されるものとする。本明細書で使用される接尾辞「（複数可）」は、それが修飾する用語の単数および複数の両方を含むことを意図し、それにより、その用語の１つ以上を含む（例えば、ソース（複数可）は１つ以上のハートソースを含む）。明細書全体にわたる「１つの実施形態」、「別の実施形態」、「一実施形態」などへの言及は、存在する場合、実施形態に関連して説明された特定の要素（例えば、特徴、構造、および／または特性）が本明細書に記載の少なくとも１つの実施例に含まれることを意味し、他の実施例に存在してもしなくてもよい。加えて、説明された要素を、様々な実施形態において任意の好適な方式および／または順序で組み合わせてもよいことを理解されたい。
【００４７】
本明細書で開示されるすべての範囲は、端点を含み、端点は互いに独立して組み合わせることができる。さらに、本明細書の「第１」、「第２」などの用語は、任意の順序、量、または重要性を示すのではなく、一方の要素から別の要素を示すために使用される。
【００４８】
同様に、「約」という用語は、量、サイズ、配合、パラメータを意味し、他の量および特質が正確ではないことやその必要がないことを意味するが、必要に応じて、許容範囲、変換係数、四捨五入、測定誤差など、および当業者に既知の他の要因を反映して、近似および／またはより大きいまたはより小さいことがあり得る。一般に、量、サイズ、配合、パラメータ、または他の量もしくは特質は、明示的にそうであるかどうかにかかわらず、「約」または「おおよそ」である。
【００４９】
したがって、一実施形態では、本明細書で提供されるのは、印刷回路基板内の集積回路のためのインフラストラクチャ要素を形成するためのインクジェット印刷方法であり、本方法は、基材を提供することと、インクジェット印刷システムを提供することであって、インクジェット印刷システムが、第１の印刷ヘッドであって、少なくとも１つの開口部、誘電性インクリザーバ、および開口部を通して誘電性インクを供給するように構成された第１のディスペンサを有する、第１の印刷ヘッドと、第２の印刷ヘッドであって、少なくとも１つの開口部、導電性インクリザーバ、および開口部を通して導電性インクを供給するように構成された第２のディスペンサを有する、第２の印刷ヘッドと、第１の印刷ヘッドおよび第２の印刷ヘッドに動作可能に結合され、基材を第１の印刷ヘッドおよび第２の印刷ヘッドに搬送するように構成された、コンベヤと、コンピュータ支援製造（「ＣＡＭ」）モジュールであって、プロセッサと、不揮発性メモリと、不揮発性メモリ上に記憶された一組の実行可能な命令であって、実行されたとき、プロセッサに、インフラストラクチャ要素を表現する３Ｄ視覚化ファイルを受信することと、３Ｄ視覚化ファイルを使用して、複数のファイルを含むライブラリを生成することであって、各ファイルが、インフラストラクチャ要素の印刷のための実質的な２Ｄ層を表現する、生成することと、インフラストラクチャ要素に関したパラメータの選択を受信することと、インフラストラクチャ要素の導電部分および誘電部分のうちの少なくとも１つを印刷するためのパラメータの選択の少なくとも１つに基づいて、ライブラリ内の実質的な２Ｄ層ファイルの各々を変更することと、を行わせるように構成された、命令と、を含む、モジュールと、を含む、提供することと、誘電性インク組成物および導電性インク組成物を提供することと、ＣＡＭモジュールを使用して、印刷のためのインフラストラクチャ要素の複数の実質的な２Ｄ層を表現する生成されたファイルを得ることであって、２Ｄ層が、導電性インクジェットインクおよび誘電性インクジェットインクを表現するパターンを含み、得られたファイルが、印刷のための第１の層に対応する、得ることと、第１の印刷ヘッドを使用して、印刷のためのインフラストラクチャ要素の第１の層内の誘電性表現に対応するパターンを形成することと、誘電性パターンを硬化することと、第２の印刷ヘッドを使用して、印刷のためのインフラストラクチャ要素の第１の層内の導電性表現に対応するパターンを形成することと、導電性パターンを焼結することと、得られたファイルが印刷のための先行層に対する後続の層に対応する、生成されたファイルを得る工程から、ライブラリの完成のために導電性層を焼結させる工程までを繰り返すことと、を含む。（ｉ）インフラストラクチャ要素が、冷却パッド、ヒートパイプ、凝縮器、芯、冷却プラットフォーム、および蒸気チャンバのうちの少なくとも１つであり、（ｉｉ）ヒートパイプが、２相ヒートパイプであり、（ｉｉｉ）インフラストラクチャ要素が、ソケットであり、（ｉｖ）ソケットが、印刷回路基板内に少なくとも部分的に配設され、（ｖ）冷却パッドが、先端表面に対して８０°未満の角度で���本的に延在し、（ｖｉ）冷却プラットフォームが、外部熱源と直接接触し、（ｖｉｉ）外部熱源が、スイッチモード電力集積回路、デュアルインラインパッケージ（ＤＩＰ）、Ｑｕａｄ  Ｆｌａｔ  Ｐａｃｋ（ＱＦＰ）パッケージ、Ｔｈｉｎ  Ｓｍａｌｌ  Ｏｕｔｌｉｎｅ  Ｐａｃｋａｇｅ（ＴＳＯＰ）、Ｓｍａｌｌ  Ｏｕｔｌｉｎｅ  Ｉｎｔｅｇｒａｔｅｄ  Ｃｉｒｃｕｉｔ（ＳＯＩＣ）パッケージ、Ｓｍａｌｌ  Ｏｕｔｌｉｎｅ  Ｊ−Ｌｅａｄ（ＳＯＪ）パッケージ、Ｐｌａｓｔｉｃ  Ｌｅａｄｅｄ  Ｃｈｉｐ  Ｃａｒｒｉｅｒ（ＰＬＣＣ）パッケージ、Ｗａｆｅｒ  Ｌｅｖｅｌ  Ｃｈｉｐ  Ｓｃａｌｅ  Ｐａｃｋａｇｅ（ＷＬＣＳＰ）、Ｍｏｌｄ  Ａｒｒａｙ  Ｐｒｏｃｅｓｓ−Ｂａｌｌ  Ｇｒｉｄ  Ａｒｒａｙ（ＭＡＰＢＧＡ）パッケージ、Ｑｕａｄ  Ｆｌａｔ  Ｎｏ−Ｌｅａｄ（ＱＦＮ）パッケージ、およびＬａｎｄ  Ｇｒｉｄ  Ａｒｒａｙ（ＬＧＡ）パッケージ、グラフィック処理ユニット（ＧＰＵ）、中央処理ユニット（ＣＰＵ）、および発光ダイオード（ＬＥＤ）アセンブリのうちの少なくとも１つであり、（ｖｉｉｉ）印刷回路基板が、中空中間層を画定する多層印刷回路基板であり、（ｉｘ）冷却パッド、ヒートパイプ、および芯のうちの少なくとも１つが、中空中間層で終端し、（ｘ）硬化の工程が、加熱、光退色、乾燥、プラズマの堆積、架橋、アニーリング、および酸化還元反応の促進のうちの少なくとも１つを含み、（ｘｉ）焼結が、加熱および乾燥のうちの少なくとも１つを含み、（ｘｉｉ）インフラストラクチャ要素を備える印刷回路基板に関したパラメータの選択に使用されたパラメータが、インフラストラクチャ要素のタイプ、インフラストラクチャ要素に結合するように構成された集積回路（ＩＣ）の物理化学的特性、ＩＣパッケージング要件、硬化および焼結後それぞれの少なくとも誘電性インク組成物および導電性インク組成物の熱伝達係数、または前述の１つ以上を含むパラメータの組み合わせを含み、（ｘｉｉｉ）印刷回路基板、可撓性印刷回路、高密度相互接続回路、およびそれらの組み合わせが、本明細書で開示された実施例および実施形態のうちのいずれか１つの方法を使用して製造されたインフラストラクチャ要素を含む。
【００５０】
上記の実施例および説明は、もちろん説明の目的でのみ提供されており、開示された技術をいかなる方法においても制限することを意図するものではない。当業者によって理解されるように、開示された技術は、本発明の範囲を超えることなく、上記のものからの２つ以上の技術を採用して、多種多様な方法で実行することができる。
【図１】
2021526956.tif 000003
【図２】
2021526956.tif 000004
【図３】
2021526956.tif 000005
【図４】
2021526956.tif 000006
【図５】
2021526956.tif 000007
【図６】
2021526956.tif 000008
【国際調査報告】
2021526956.tif 000009